(57)【要約】【課題】  紙幣を入れた中袋を熨斗袋で包む面倒さを解消すると共に、熨斗袋に入れたお金の有無が簡単に確認でき、さらに日本の伝統的な風習・習慣を引き継ぐことができるようにした熨斗袋を提供する。【解決手段】  熨斗袋本体１１を封筒状にして、開口側の封片２６の長さＬ２を、熨斗袋本体１１の長手方向の長さＬ１の半分よりも長くしておく。開口側の封片２６から紙幣２８を挿入し、水引１２を掛けて、封片２６を止める。開口側の封片２６の長さＬ２が熨斗袋本体１１の長手方向の長さＬ１の半分よりも長いため、熨斗袋本体１１の中央の位置で水引１２掛けたときに、開口側の封片２６が止まり、従来の伝統的な熨斗袋と外観上殆ど同じになる。熨斗袋本体１１が封筒状のため、紙幣を入れた中袋を熨斗袋で包む面倒さを解消すると共に、熨斗袋に入れたお金の有無を簡単に確認できる。【選択図】        図３
0003132157.tif 000002
【実用新案登録請求の範囲】
【請求項１】
上下の封片のうち一方が開口側となっている封筒状の熨斗袋本体と、
前記熨斗袋本体外側の中央の位置に掛けられた水引とからなり、
前記開口側の封片の長さを、前記熨斗袋本体の長手方向の長さの半分よりも長くし、
前記開口側の封片を熨斗袋本体と前記水引との間に挿入することによって、前記開口側の封片を固定する
ようにしたことを特徴とする熨斗袋。
【請求項２】
前記開口側の封片は、前記熨斗袋本体の上側の封片であることを特徴とする請求項１に記載の熨斗袋。
【請求項３】
前記開口側の封片は、前記熨斗袋本体の下側の封片であることを特徴とする請求項１に記載の熨斗袋。
【考案の詳細な説明】
【技術分野】
【０００１】
本考案は、婚礼などの慶事用や葬儀などの弔事用として使用される熨斗（のし）袋に関するもので、特に、紙幣を入れた中袋を熨斗袋で包む面倒さを解消すると共に、熨斗袋に入れたお金の有無が簡単に確認できるようにした熨斗袋に関する。
【背景技術】
【０００２】
古来より、結婚式や、出産、葬式等、冠婚葬祭では、金銭を熨斗袋に入れて相手方に渡す慣習がある。従来の伝統的な熨斗袋は、封筒状の中袋に金銭を入れ、更に、外包みで包み、水引を掛けたものである。中袋には、同封した金額が分かるように、金額を書き込み、外包みには、「御祝」や「御霊前」等の文字と、氏名を表書きして、相手方に渡している。
【０００３】
図５は、従来の伝統的な外包み型熨斗袋の使用を説明する図である。図５（Ａ）に示すように、中袋１０１に紙幣２８を入れる。次に、図５（Ｂ）に示すように、この中袋１０１を外包み１０３で包む。外包み１０３には、縦横に折り目がつけられている。この外包み１０３の中央に中袋１０１を置き、その後この折り目に沿って、両側片１０９を折り曲げ、次に上片１０７を折り曲げて、次に下片１０８を折り曲げて、中袋１０１を外包み１０３で包み込む。
【０００４】
その後、図５（Ｃ）に示すように、外包み１０３に、水引１０６を掛ける。図５（Ｄ）は、図５（Ｃ）に示す外包み１０３の裏側を示している。図５（Ｄ）において、外包み１０３の下片１０８は上片１０７と水引１０６の間に挿入され、下片１０８の先端は水引１０６で押さえられ、水引１０６から突出している。図５（Ｄ）では、下片１０８が上片１０７の上に重ねられている。これは、御祝いに使う熨斗袋の場合であり、幸せが何度もうけとめられるようとの意味を有している。一方、弔事に使う熨斗袋の場合には、上片１０７が下片１０８の上に重ねられている。これは、悲しみが再びないように頭を伏すとの意味を有している。
【０００５】
このような従来の熨斗袋では、紙幣を入れた中袋を外包みで包むことが非常に面倒である。また金銭を包んで、相手方に渡す際に、間違いなく紙幣を入れたかどうか、または紙幣を間違いなく入れたかどうか不安になり、外包みを開けて、中身の紙幣を確認するようなことが多々ある。この場合、従来の熨斗袋では、水引１０６を外し、外包み１０３を開け、中袋１０１の中の紙幣２８を確認しなければならない。このような手間は大変であると共に、中袋１０１の中の紙幣２８を確認する際に、外包み１０３や中袋１０１を汚してしまったり、水引１０６の形が崩れてしまったりすることがよくある。
【０００６】
このような問題点を解消するために、従来技術として、熨斗袋を封筒状にして、構造的に簡素化された熨斗袋が提案されている。また、特許文献１には、合成樹脂製シートで封筒状の袋を形成し、この袋に水引を掛けるようにしたものが提案されている。図６は、特許文献１に示される熨斗袋と同様の従来の封筒型の熨斗袋である。図６における従来の封筒状の熨斗袋の場合、上部の封片１２２を開いて紙幣２８を入れ、封片１２２を閉じるだけで、紙幣を入れることができる。このような封筒型の熨斗袋では、図５に示した外包み１０３で包み込むような熨斗袋と異なり、熨斗袋を水引で止めなくても、中身の紙幣が落ちるようなことはない。このため、従来の封筒状の熨斗袋の場合には、水引が印刷であるようなことが多い。
【特許文献１】実用新案登録第３０７２７９１号公報
【考案の開示】
【考案が解決しようとする課題】
【０００７】
一方、特許文献１には、合成樹脂製シートで封筒状の袋を形成し、この袋に水引をかけることが記載されている。しかし、図６に示すような従来の封筒型の熨斗袋では、封片１２１、封片１２２は単に封筒の上下端を封止するのみに用いられているのでその幅は狭いものである。したがって、図５（Ｄ）に示すように、従来の外包み型の熨斗袋に見られる下片１０８が上片１０７の上に重ねられる構造、または上片１０７が下片１０８の上に重ねられるような構造を取りえなかった。したがって、従来の封筒型の熨斗袋は、日本の伝統的な風習・習慣を取り入れた熨斗袋とはなり得ないものであった。
【０００８】
本考案は上述の課題を鑑み、日本の伝統的な風習・習慣を取り入れた熨斗袋を実現し、紙幣を入れた中袋を外包みで包む面倒さを解消すると共に、熨斗袋に入れたお金の有無が簡単に確認できるようにした熨斗袋を提供することを目的とする。
【課題を解決するための手段】
【０００９】
上述の課題を解決するために、本考案は、上下の封片のうち一方が開口側となっている封筒状の熨斗袋本体と、熨斗袋本体の外側に掛ける水引とからなり、開口側の封片の長さを、熨斗袋本体の長手方向の長さの半分よりも長くし、水引を熨斗袋本体の中央の位置に掛けたときに、水引により開口側の封片が止まるようにしたことを特徴とする熨斗袋である。
【００１０】
好ましくは、開口側の封片は、熨斗袋本体の上側の封片であることを特徴とする。また、開口側の封片は、熨斗袋本体の下側の封片であることを特徴とする。
【考案の効果】
【００１１】
本考案によれば、上下の封片のうち一方が開口側となっている封筒状の熨斗袋本体と、熨斗袋本体外側の中央の位置に掛けられた水引とからなり、開口側の封片の長さを、熨斗袋本体の長手方向の長さの半分よりも長くし、開口側の封片を熨斗袋本体と水引との間に挿入することによって簡単に開口側の封片を固定することができ、また水引を移動させれば、封片が簡単に開き、中身の金銭が簡単に確認できる。また、水引が熨斗袋本体の真ん中に掛けられ、開口側の封片を上向きまたは下向きにすることができるので、外観的には、従来の伝統的な熨斗袋と殆ど同じになるので、日本の伝統的な風習・習慣を引き継ぐことができる。
【００１２】
また、本考案によれば、開口側の封片は、熨斗袋本体の上側の封片とすることができるので、弔事のときに使用できる。また、本考案によれば、開口側の封片は、熨斗袋本体の下側の封片とすることができるので、慶事のときに使用できる。
【考案を実施するための最良の形態】
【００１３】
実施形態１．
以下、本考案の実施の形態について図面を参照しながら説明する。図１は、本考案の実施形態の熨斗袋の表側及び裏側を示すものである。図１（Ａ）及び図１（Ｂ）において、熨斗袋１は、封筒状の熨斗袋本体１１と、水引１２とからなる。使用時には、封筒状の熨斗袋本体１１内に紙幣２８を入れた中袋１０１を挿入し、その中袋１０１を熨斗袋本体１１内に収納し、熨斗袋本体１１の中央付近に水引１２をかけて、開口側の封片２６を止めるものである。
【００１４】
図２は、本考案の実施形態１の熨斗袋における熨斗袋本体の構造を説明する図である。熨斗袋本体１１は、図２（Ａ）に示すように、表紙２３と裏紙２２ａ、２２ｂおよび表紙２３の上下に形成された封片２５及び２６とを有し、図２（Ｂ）に示すように、表紙２３と裏紙２２ａ、２２ｂ間に点線で示される側縁を折り曲げ、裏紙２２ａと裏紙２２ｂの端部を互いに貼着するとともに、一方の封片２５を折り返して裏紙２２ａと裏紙２２ｂに貼着し、封筒状としたものである。封片２５及び２６のうち、開口側の封片２６の長さＬ２は、封筒状の熨斗袋本体１１の長手方向の長さＬ１の半分より長くなっている（Ｌ２＞Ｌ１／２）。
【００１５】
図３は、本考案の実施形態１の熨斗袋の使用を説明する図である。本考案の実施形態の熨斗袋１に金銭を収納する場合には、図３（Ａ）に示すように、中袋１０１に紙幣２８を入れる。次に、図３（Ｂ）に示すように、熨斗袋本体１１の開口となっている封片２６を開き、封筒状の熨斗袋本体１１内に、紙幣２８を入れた中袋１０１を挿入する。熨斗袋本体１１に中袋１０１を挿入したら、図３（Ｃ）に示すように、封片２６を閉じ、熨斗袋１の裏側の水引１２に封片２６を止める。本考案の実施形態の熨斗袋１では、開口側の封片２６の長さＬ２は、封筒状の熨斗袋本体１１の長手方向の長さＬ１の半分より長くなっているので、図３（Ｃ）に示すように、水引１２を熨斗袋本体１１の中央の位置に掛けることによって、封片２６を止めることができる。図３（Ｄ）は、図３（Ｃ）を表側から見た図である。図３（Ｃ）から、封片２６は熨斗袋本体１１の上部から下方に延びていることが分かる。
【００１６】
本考案の実施形態１では、このように、水引１２が熨斗袋本体１１の中央に位置に掛けられたまま、封片２６を止めることができる。したがって、その外観は、図５に示した従来の伝統的な熨斗袋と殆ど同じになるため、従来の慣習を引き継ぐことができる。
【００１７】
また、熨斗袋本体１１が封筒状となっているので、紙幣を入れた中袋を外包みで包む面倒さを解消すると共に、熨斗袋に入れたお金の確認が簡単に行える。すなわち、封片２６を水引１２から引き出すか、水引１２の位置を少しずらすことによって、封片２６を簡単に開くことができ、封片２６を開けて、中身の金銭を確認することができる。
実施形態２．
図４は、本考案の実施形態２の熨斗袋の使用を説明する図である。図１〜図３における本考案の実施形態１では、封片２５及び２６のうち、上側の封片２６を開口側としているが、図４に示す本考案の実施形態２の熨斗袋においては、封片２５及び２６のうち、下側の封片２６を開口側としている。図４における説明は、図３と同様であるので詳細は省略する。なお、慶事・弔事にかかわらず、上側の封片２５を開口側としてもよい。
【００１８】
このように、本考案の実施形態の熨斗袋は、熨斗袋本体１１を封筒状にし、その封片２６の長さを、封筒状の熨斗袋本体１１の長手方向の長さの半分より長くすることで、従来の伝統的な熨斗袋と殆ど同様な外観の熨斗袋を提供することができる。
【００１９】
本考案は、上述した実施形態に限定されるものではなく、この考案の要旨を逸脱しない範囲内で様々な変形や応用が可能である。
【産業上の利用可能性】
【００２０】
本考案は、婚礼などの慶事用や葬儀等の弔事用熨斗袋として利用可能である。
【図面の簡単な説明】
【００２１】
【図１】本考案の実施形態１の熨斗袋の表面及び裏面を示す図である。
【図２】本考案の実施形態１の熨斗袋における熨斗袋本体の構造を説明する図である。
【図３】本考案の実施形態１の熨斗袋の使用を説明する図である。
【図４】本考案の実施形態２の熨斗袋の使用を説明する図である。
【図５】従来の伝統的な外包み型熨斗袋の使用を説明する図である。
【図６】従来の封筒型熨斗袋の使用を説明する図である。
【符号の説明】
【００２２】
１  熨斗袋
１１  外包み
１２  水引
１３  熨斗
２２ａ，２２ｂ  裏紙
２３  表紙
２５， ２６  封片
２８  紙幣
【図１】
0003132157.tif 000003
【図２】
0003132157.tif 000004
【図３】
0003132157.tif 000005
【図４】
0003132157.tif 000006
【図５】
0003132157.tif 000007
【図６】
0003132157.tif 000008